(57)【要約】【課題】タンクからの水溢れによる機外漏水の抑制とリム吐水口から吐水される洗浄水の高流量化とを両立させることができる水洗大便器を提供する。【解決手段】本発明のハイブリッド洗浄式の水洗大便器１は、水道から洗浄水が直圧で供給される給水路１６と、給水路内の洗浄水を直圧でリム吐水口１０に給水するリム側給水路３６と、給水路の下流側でリム側給水路３６と分岐し、洗浄水をタンク３８に給水するタンク側給水路４０と、リム側給水路又はタンク側給水路の少なくとも一方の流路に切り替える流路切替部３４と、タンク内の洗浄水をジェット吐水口１２に給水するジェット側給水路５０と、タンク内の洗浄水をジェット吐水口に加圧する加圧ポンプ４８と、を有し、流路切替部又はタンク側給水路には、タンク内に流入する洗浄水の流量Ｑ３をリム吐水口で吐水される洗浄水の最大流量Ｑ４よりも小さくなるように規制する流量規制部４２が設けられている。【選択図】図１
2020105885.tif 000002
【特許請求の範囲】
【請求項１】
水道から直接的に供給される洗浄水とタンクから供給される洗浄水とにより洗浄される水洗大便器であって、
ボウル部と、洗浄水を吐出するリム吐水口及びジェット吐水口と、排水トラップ管路と、を備えた便器本体と、
上記ジェット吐水口に供給する洗浄水を貯水するタンクと、
上記便器本体の上流側に設けられ、水道から洗浄水が直圧で供給される給水路と、
上記給水路を開閉する開閉弁と、
上記給水路の下流側に設けられて、上記給水路内の洗浄水を直圧で上記リム吐水口に給水するリム側給水路と、
上記給水路の下流側の分岐部で上記リム側給水路と分岐し、上記給水路内の洗浄水を上記タンクに給水するタンク側給水路と、
上記給水路の分岐部に設けられて、その下流側の流路を上記リム側給水路又は上記タンク側給水路の少なくとも一方の流路に切り替える流路切替部と、
上記タンクの下流側に設けられて、上記タンク内の洗浄水を上記ジェット吐水口に給水するジェット側給水路と、
上記タンク内の洗浄水を上記ジェット吐水口に加圧する加圧ポンプと、
上記開閉弁、上記流路切替部、及び上記加圧ポンプのそれぞれの作動を制御する制御部と、を有し、
上記流路切替部又は上記タンク側給水路には、上記タンク側給水路から上記タンク内に流入する洗浄水の流量を上記リム側給水路から上記リム吐水口で吐水される洗浄水の最大流量よりも小さくなるように規制する流量規制部が設けられていることを特徴とする水洗大便器。
【請求項２】
上記流量規制部は、上記タンク側給水路に設けられた定流量弁である請求項１記載の水洗大便器。
【請求項３】
上記流量規制部は、上記タンク側給水路に設けられた流路断面積の絞り部である請求項１記載の水洗大便器。
【請求項４】
さらに、上記タンク内の水位を検知するように上記タンクに設けられた水位検知部を有し、上記制御部は、上記水位検知部が検知した情報に基づいて上記タンク側給水路から上記タンクへの給水を制御し、
上記給水路は、その上流側において、通電時に使用される通電時用給水路と、この通電時用給水路から分岐して停電時に使用される停電時用給水路と、を備えており、
上記停電時用給水路には、停電時に上記停電時用給水路から上記タンク側給水路を経て上記タンクに流入する洗浄水の最大流量が、通電時に上記通電時用給水路から上記タンクに流入する洗浄水の最大流量よりも小さくなるように流量を規制する停電時用流量規制部が設けられている請求項１乃至３の何れか１項に記載の水洗大便器。
【発明の詳細な説明】
【技術分野】
【０００１】
本発明は、水洗大便器に係り、特に、水道から直接的に供給される洗浄水とタンクから供給される洗浄水とにより洗浄されるハイブリッド洗浄式の水洗大便器に関する。
【背景技術】
【０００２】
従来から、水道から直接的に供給される洗浄水とタンクから供給される洗浄水とにより洗浄される洗浄方式（いわゆる、「ハイブリッド洗浄式」）の水洗大便器として、特許文献１に記載されているようなものが知られている。
上述した特許文献１に記載されている従来のハイブリッド洗浄式の水洗大便器においては、水道から洗浄水が直圧で供給される給水路を備えている。この給水路の下流側の分岐部には、便器本体のリム吐水口に給水するリム側給水路、及び、タンクに給水するタンク側給水路がそれぞれ設けられている。また、タンクの下流側には、便器本体のジェット吐水口に給水するジェット側給水路が設けられている。
さらに、給水路の下流側の分岐部には、切替弁が設けられている。この切替弁により、給水路の下流側の流路について、リム側給水路又はタンク側給水路の一方の流路に切り替えたり、リム側給水路及びタンク側給水路の双方の流路に切り替えたりすることができるようになっている。
【０００３】
【特許文献１】特開２００９−７８５４号公報
【発明の開示】
【発明が解決しようとする課題】
【０００４】
また、近年、水洗大便器のデザイン性の向上を目的として、洗浄水を貯水するタンクが組み込まれた便器本体全体の上端を可能な限り低く設計する、いわゆる、「ローシルエット化」への要望が高まっている。
一方、上述した従来の水洗大便器においては、ローシルエット化を実現するためには、タンク自体が可能な限り低い高さ位置に配置されるように設計したり、或いは、タンクの形状について上端高さが可能な限り低くなるように設計したりする必要がある。
また、このように、タンク自体の高さを低く設計した場合には、タンクからの水溢れによる機外漏水を防ぐために、タンク側の洗浄水（上水）と便器本体側の汚水（下水）との境界線（いわゆる、「クリティカルライン」とも呼ぶ）を低く設定して、安全性を確保することが好ましい。
【０００５】
しかしながら、このようなクリティカルラインは、便器本体に供給する洗浄水量やタンクのオーバーフロー管等による排出性能（オーバーフロー性能）等、複数の要素によって決定されるものであるため、容易に低く設定することができないという問題がある。
さらに、クリティカルラインを低く設定せずに、便器のローシルエット化を行ってしまうと、機外漏水が発生し易いという問題がある。
また、タンクからの水溢れが発生しないようにするために、タンク側給水路に給水する上流側の給水路等において流量が低く制限され過ぎると、リム側給水路に供給される洗浄水の流量についても低く制限される。これにより、リム吐水口からの吐水（リム吐水）の流量も低くなり、便器本体のボウル内における洗浄性能も低下するおそれがあるという問題もある。
【０００６】
そこで、本発明は、上述した従来の問題点を解決するためになされたものであり、タンクからの水溢れによる機外漏水の抑制とリム吐水口から吐水される洗浄水の高流量化とを両立させることができる水洗大便器を提供すること目的としている。
【課題を解決するための手段】
【０００７】
上述した課題を解決するために、本発明は、水道から直接的に供給される洗浄水とタンクから供給される洗浄水とにより洗浄される水洗大便器であって、
ボウル部と、洗浄水を吐出するリム吐水口及びジェット吐水口と、排水トラップ管路と、を備えた便器本体と、上記ジェット吐水口に供給する洗浄水を貯水するタンクと、上記便器本体の上流側に設けられ、水道から洗浄水が直圧で供給される給水路と、上記給水路を開閉する開閉弁と、上記給水路の下流側に設けられて、上記給水路内の洗浄水を直圧で上記リム吐水口に給水するリム側給水路と、上記給水路の下流側の分岐部で上記リム側給水路と分岐し、上記給水路内の洗浄水を上記タンクに給水するタンク側給水路と、上記給水路の分岐部に設けられて、その下流側の流路を上記リム側給水路又は上記タンク側給水路の少なくとも一方の流路に切り替える流路切替部と、上記タンクの下流側に設けられて、上記タンク内の洗浄水を上記ジェット吐水口に給水するジェット側給水路と、上記タンク内の洗浄水を上記ジェット吐水口に加圧する加圧ポンプと、上記開閉弁、上記流路切替部、及び上記加圧ポンプのそれぞれの作動を制御する制御部と、を有し、上記流路切替部又は上記タンク側給水路には、上記タンク側給水路から上記タンク内に流入する洗浄水の流量を上記リム側給水路から上記リム吐水口で吐水される洗浄水の最大流量よりも小さくなるように規制する流量規制部が設けられていることを特徴としている。
このように構成された本発明においては、流量規制部が流路切替部又はタンク側給水路に設けられているため、タンク側給水路からタンク内に流入する洗浄水の流量について、リム側給水路からリム吐水口で吐水される洗浄水の最大流量よりも小さくなるように規制することができる。
したがって、タンクからの水溢れによる機外漏水の抑制と、リム吐水口から吐水される洗浄水（リム吐水）の高流量化とを両立させることができる。
【０００８】
本発明において、好ましくは、上記流量規制部は、上記タンク側給水路に設けられた定流量弁である。
このように構成された本発明においては、タンク側給水路に定流量弁が流量規制部として設けられていることにより、タンク側給水路からタンク内に流入する洗浄水の流量について、リム吐水口で吐水される洗浄水の最大流量よりも小さくなるように定流量に規制することができる。
したがって、タンクからの水溢れによる機外漏水の抑制と、リム吐水口から吐水される洗浄水（リム吐水）の高流量化とを効果的に両立させることができる。
【０００９】
本発明において、好ましくは、上記流量規制部は、上記タンク側給水路に設けられた流路断面積の絞り部である。
このように構成された本発明によれば、タンク側給水路に流路断面積の絞り部が流量規制部として設けられていることにより、タンク側給水路からタンク内に流入する洗浄水の流量について、リム吐水口で吐水される洗浄水の最大流量よりも小さくなるように絞り込んで規制することができる。
したがって、タンクからの水溢れによる機外漏水の抑制と、リム吐水口から吐水される洗浄水（リム吐水）の高流量化とを効果的に両立させることができる。
【００１０】
本発明において、好ましくは、さらに、上記タンク内の水位を検知するように上記タンクに設けられた水位検知部を有し、上記制御部は、上記水位検知部が検知した情報に基づいて上記タンク側給水路から上記タンクへの給水を制御し、上記給水路は、その上流側において、通電時に使用される通電時用給水路と、この通電時用給水路から分岐して停電時に使用される停電時用給水路と、を備えており、上記停電時用給水路には、停電時に上記停電時用給水路から上記タンク側給水路を経て上記タンクに流入する洗浄水の最大流量が、通電時に上記通電時用給水路から上記タンクに流入する洗浄水の最大流量よりも小さくなるように流量を規制する停電時用流量規制部が設けられている。
このように構成された本発明によれば、通電時には、制御部の制御により、通電時用給水路が使用され、水位検知部の情報に基づいて、タンクへの給水の制御が行われる。
したがって、タンクからの水溢れによる機外漏水の抑制と、リム吐水口から吐水される洗浄水（リム吐水）の高流量化とを効果的に両立させることができる。
さらに、通電時において、タンクに給水する洗浄水の流量を停電時よも大きくすることができる。
一方、停電時には、制御部による水位検知部の検知情報に基づいたタンクへの給水の制御ができなくなっているため、停電時用給水路が使用される。
このとき、停電時用給水路の流量について、停電時用流量規制部により、停電時用給水路からタンクに流入する洗浄水の最大流量が通電時に通電時用給水路からタンクに流入する洗浄水の最大流量よりも小さくなるように規制することができる。
したがって、停電時において、制御部による水位検知部の検知情報に基づいたタンクへの給水の制御ができない状態になったとしても、タンクからの水溢れによる機外漏水を確実に抑制することができる。
また、通電時においては、タンクに給水する洗浄水の流量を停電時よも大きくすることができる一方、停電時においては、タンク内の洗浄水について、便器洗浄に最低限必要な流量を確保することができる。
【発明の効果】
【００１１】
本発明の水洗大便器によれば、タンクからの水溢れによる機外漏水の抑制とリム吐水口から吐水される洗浄水の高流量化とを両立させることができる。
【図面の簡単な説明】
【００１２】
【図１】本発明の第１実施形態による水洗大便器の全体構成図である。
【図２】本発明の第２実施形態による水洗大便器の全体構成図である。
【発明を実施するための形態】
【００１３】
つぎに、図１を参照して、本発明の第１実施形態による水洗大便器を説明する。
図１は、本発明の第１実施形態による水洗大便器の全体構成図である。
なお、以下、本明細書中において「洗浄水の流量」等という表現の中で使用されている「流量」という用語については、単位時間当たりの体積変化［Ｌ／ｍｉｎ］（いわゆる、「体積流量」又は「瞬間流量」とも呼ぶ）を意味している。
まず、図１に示すように、本発明の第１実施形態による水洗大便器１は、水道から直接的に供給される洗浄水とタンク（詳細は後述する）から供給される洗浄水とにより洗浄されるハイブリッド洗浄式の水洗大便器である。この水洗大便器１は、便器本体２と、この便器本体２の後方に組み込まれた機能部４と、を備えている。
つぎに、便器本体２は、汚物を受けるボウル部６と、ボウル部６の上方のリム部８と、洗浄水を吐出するリム吐水口１０及びジェット吐水口１２と、ボウル部６の底部から延びる排水トラップ管路１４と、を備えている。
また、リム吐水口１０は、リム部８の内周面の一部に形成されており、ボウル部６の上縁に沿って洗浄水を吐出するようになっている。
さらに、ジェット吐水口１２は、ボウル部６の底部に形成されており、排水トラップ管路１４の入口１４ａに向けて洗浄水を吐出するようになっている。
【００１４】
つぎに、図１に示すように、機能部４は、水道から洗浄水が直接的に供給される給水路１６が設けられている。
この給水路１６には、上流側から、止水栓１８、通電時用給水路２０及び停電時用給水路２２がそれぞれ設けられている。
また、通電時用給水路２０には、定流量弁２４及び電磁弁２６（開閉弁）がそれぞれ設けられている。
さらに、停電時用給水路２２には、定流量弁２８及び手動バルブ３０がそれぞれ設けられている。
【００１５】
また、本実施形態では、停電時において、通電時用給水路２０の電磁弁２６（開閉弁）が作動しないため、使用者が停電時用給水路２２の手動バルブ３０を手動で操作して開弁させることができるようになっている。
このとき、停電時用給水路２２の定流量弁２８は、停電時に停電時用給水路２２の流量［Ｌ／ｍｉｎ］を規制する停電時用流量規制部として機能するようになっている。
これにより、停電時に停電時用給水路２２からタンク側給水路４０を経てタンク３８に流入する洗浄水の最大流量Ｑ１［Ｌ／ｍｉｎ］が、通電時に通電時用給水路２０からタンク側給水路４０を経てタンク３８に流入する洗浄水の最大流量Ｑ２［Ｌ／ｍｉｎ］よりも小さくなるようになっている（Ｑ１＜Ｑ２）。
なお、本実施形態では、停電時用給水路２２の手動バルブ３０について、停電時に使用者の手動操作により開閉操作される形態について説明するが、このような形態に限られず、停電時にバルブ３０が非常用電源によって開閉操作されるような形態であってもよい。
【００１６】
つぎに、図１に示すように、機能部４の通電時用給水路２０及び停電時用給水路２２の下流側の給水路１６には、バルブ装置３２及び切替弁装置３４（流路切替部）がそれぞれ設けられている。
また、切替弁装置３４の下流側には、この切替弁装置３４を通過した洗浄水を便器本体２のリム吐水口１０に給水するリム側給水路３６が設けられている。
【００１７】
つぎに、機能部４には、便器本体２のジェット吐水口１２に給水するための洗浄水を貯水するタンク３８が内蔵されている。
そして、切替弁装置３４の下流側には、この切替弁装置３４を通過した洗浄水をタンク３８に給水するタンク側給水路４０が設けられている。このタンク側給水路４０は、リム側給水路３６とは独立に切替弁装置３４において分岐している。
ここで、切替弁装置３４は、給水路１６の下流側のリム側給水路３６及びタンク側給水路４０とを分岐する分岐部に設けられた切替弁（図示せず）を含み、例えば、三方弁等が採用されている。このような切替弁（図示せず）により、リム側給水路３６とタンク側給水路４０の両方に同じタイミングで洗浄水を供給可能であって、リム側とタンク側への給水量の割合を任意に変更できるようになっている。
すなわち、切替弁装置３４は、給水路１６の下流側の分岐部において、その下流側の流路をリム側給水路３６又はタンク側給水路４０の少なくとも一方の流路に切り替えることができる流路切替部として機能するようになっている。
【００１８】
つぎに、タンク側給水路４０の途中には、定流量弁４２（流量規制部）が設けられている。これにより、タンク側給水路４０からタンク３８内に流入する洗浄水の流量Ｑ３［Ｌ／ｍｉｎ］について、リム吐水口１０で吐水される洗浄水の最大流量Ｑ４［Ｌ／ｍｉｎ］よりも小さくなるように定流量に規制することができるようになっている（Ｑ３＜Ｑ４）。
【００１９】
つぎに、図１に示すように、機能部４のタンク３８内には、タンク３８内の水位を検知する水位検知部である上方フロートスイッチ４４及び下方フロートスイッチ４６がそれぞれ設けられている。
また、タンク３８の下流側には、加圧ポンプ４８及びジェット側給水路５０がそれぞれ設けられている。タンク３８内の洗浄水は、加圧ポンプ４８により加圧されて、ジェット側給水路５０からジェット吐水口１２に給水されるようになっている。
【００２０】
さらに、機能部４には、コントローラ５２（制御部）が内蔵されており、このコントローラ５２により、電磁弁２６（開閉弁）、バルブ装置３２（開閉弁）、切替弁装置３４（流路切替部）、及び、加圧ポンプ４８のそれぞれの作動が制御されるようになっている。
例えば、コントローラ５２は、通電時において、使用者による便器洗浄スイッチ（図示せず）の操作により、電磁弁２６（開閉弁）、バルブ装置３２（開閉弁）、切替弁装置３４（流路切替部）、及び、加圧ポンプ４８を順次作動させ、まず、リム吐水口１０から吐水し、リム吐水を継続させながら、つぎに、ジェット吐水口１２からの吐水を開始させて、ボウル部６を洗浄するようになっている。
さらに、コントローラ５２は、タンク３８内の水位が最低水位より少しだけ高い所定の水位まで低下し、下方フロートスイッチ４６がオフからオンに切り替わると、加圧ポンプ４８を停止させるようになっている。
そして、コントローラ５２は、洗浄終了後、電磁弁２６（開閉弁）を開放した状態で、切替弁装置３４（流路切替部）をタンク側給水路４０に切り替えて、洗浄水をタンク３８に給水するようになっている。
また、コントローラ５２は、タンク３８内の水位が上昇し、上方フロートスイッチ４４が規定の貯水量を検出すると、電磁弁２６（開閉弁）を閉鎖して給水を停止するようになっている。
【００２１】
つぎに、上述した本発明の第１実施形態による水洗大便器１の作用について説明する。
まず、本実施形態による水洗大便器１によれば、タンク側給水路４０に定流量弁４２が流量規制部として設けられている。これにより、タンク側給水路４０からタンク３８内に流入する洗浄水の流量Ｑ３［Ｌ／ｍｉｎ］について、リム吐水口１０で吐水される洗浄水の最大流量Ｑ４［Ｌ／ｍｉｎ］よりも小さくなるように定流量に規制することができる。
したがって、タンク３８からの水溢れによる機外漏水の抑制と、リム吐水口１０から吐水される洗浄水（リム吐水）の高流量化とを効果的に両立させることができる。
【００２２】
また、本実施形態による水洗大便器１によれば、通電時には、コントローラ５２（制御部）の制御により、通電時用給水路２０が使用され、各フロートスイッチ４４，４６（水位検知部）の情報に基づいて、タンク３８への給水の制御が行われる。
したがって、タンク３８からの水溢れによる機外漏水の抑制と、リム吐水口１０から吐水される洗浄水（リム吐水）の高流量化とを効果的に両立させることができる。
一方、停電時には、コントローラ５２による各フロートスイッチ４４，４６の情報に基づいたタンクへの給水の制御ができなくなっているため、停電時用給水路２２が使用される。
このとき、停電時用の定流量弁２８（停電時用流量規制部）が、停電時用給水路２２の流量［Ｌ／ｍｉｎ］を規制することにより、停電時用給水路２２からタンク側給水路４０を経てタンク３８に流入する洗浄水の最大流量Ｑ１［Ｌ／ｍｉｎ］を通電時に通電時用給水路２０からタンク側給水路４０を経てタンク３８に流入する洗浄水の最大流量Ｑ２［Ｌ／ｍｉｎ］よりも小さくなるように規制することができる。
したがって、停電時において、コントローラ５２による各フロートスイッチ４４，４６の検知情報に基づいたタンク３８への給水の制御ができない状態になったとしても、タンク３８からの水溢れによる機外漏水を確実に抑制することができる。
また、通電時においては、タンク３８に給水する洗浄水の流量を停電時よも大きくすることができる一方、停電時においては、タンク３８内の洗浄水について、便器洗浄に最低限必要な流量［Ｌ／ｍｉｎ］を確保することができる。
【００２３】
つぎに、図２を参照して、本発明の第２実施形態による水洗大便器について説明する。
ここで、図２に示す本発明の第２実施形態による水洗大便器１００において、図１に示す本発明の第１実施形態による水洗大便器１の同一部分については同一の符号と付し、これの説明については省略する。
図２に示すように、本実施形態による水洗大便器１００では、タンク側給水路１４０において、その流路断面積の絞り部１４２が流量規制部として設けられている構造が、上述した本発明の第１実施形態による水洗大便器１のタンク側給水路４０の定流量弁４２とは異なっている。
【００２４】
上述した本実施形態による水洗大便器１００によれば、タンク側給水路１４０に流路断面積の絞り部１４２が流量規制部として設けられていることにより、タンク側給水路１４０からタンク３８内に流入する洗浄水の流量Ｑ３［Ｌ／ｍｉｎ］について、リム吐水口１０で吐水される洗浄水の最大流量Ｑ４［Ｌ／ｍｉｎ］よりも小さくなるように絞り込んで規制することができる。
したがって、タンク３８からの水溢れによる機外漏水の抑制と、リム吐水口１０から吐水される洗浄水（リム吐水）の高流量化とを効果的に両立させることができる。
【００２５】
なお、上述した本発明の第１実施形態による水洗大便器１及び第２実施形態による水洗大便器１００においては、流量規制部として、タンク側給水路４０，１４０に定流量弁４２や流路断面積の絞り部１４２のそれぞれが設けられた形態について説明したが、他の流量規制部の形態であっても適用可能である。
すなわち、流量規制部の他の形態として、各タンク側給水路４０，１４０に流路断面積を調整可能にする調圧弁等が設けられた形態であってもよいし、切替弁装置３４（流路切替部）の切替弁自体が給水路１６やタンク側給水路４０，１４０の開度を調整して流量［Ｌ／ｍｉｎ］を規制するような形態であってもよい。
【符号の説明】
【００２６】
１    本発明の第１実施形態による水洗大便器
２    便器本体
４    機能部
６    ボウル部
８    リム部
１０    リム吐水口
１２    ジェット吐水口
１４    排水トラップ管路
１４ａ  排水トラップ管路の入口
１６    給水路
１８    止水栓
２０    通電時用給水路
２２    停電時用給水路
２４    定流量弁
２６    電磁弁（開閉弁）
２８    定流量弁（停電時用流量規制部）
３０    手動バルブ
３２    バルブ装置（開閉弁）
３４    切替弁装置（流路切替部）
３６    リム側給水路
３８    タンク
４０    タンク側給水路
４２    定流量弁（流量規制部）
４４    上方フロートスイッチ（水位検知部）
４６    下方フロートスイッチ（水位検知部）
４８    加圧ポンプ
５０    ジェット側給水路
５２    コントローラ（制御部）
１００    本発明の第２実施形態による水洗大便器
１４０    タンク側給水路
１４２    流路断面積の絞り部
Ｑ１    停電時用給水路からタンク側給水路を経てタンクに流入する洗浄水の最大流量［Ｌ／ｍｉｎ］
Ｑ２    通電時用給水路からタンク側給水路を経てタンクに流入する洗浄水の最大流量［Ｌ／ｍｉｎ］
Ｑ３    タンク側給水路からタンク内に流入する洗浄水の流量［Ｌ／ｍｉｎ］
Ｑ４    リム吐水口で吐水される洗浄水の最大流量［Ｌ／ｍｉｎ］
【図１】
2020105885.tif 000003
【図２】
2020105885.tif 000004